(57)【特許請求の範囲】
【請求項１】
電気機器の本体から伝送線を介して送られる直流電圧により動作しながら、その直流電圧に重畳される微小な電圧変動を本体からの送信信号として取込むリモートコントロール装置において、
第１表示手段および第２表示手段と、
前記第１表示手段の点滅表示および前記第２表示手段の点滅表示に際し、その点滅表示に伴う消費電流の増減を所定未満に収める制御手段と、
を備え、
前記制御手段は、前記第１表示手段の点滅表示および前記第２表示手段の点滅表示に際し、第１表示手段の点灯と消灯を周期Ｔ１で繰返し、第２表示手段は前記周期Ｔ１における第１表示手段の点灯開始に合わせた点灯開始と周期Ｔ１における第１表示手段の消灯完了に合わせた消灯開始とを繰返すよう、それぞれの点滅表示を制御する
ことを特徴とするリモートコントロール装置。
【請求項２】
電気機器の本体から伝送線を介して送られる直流電圧により動作しながら、その直流電圧に重畳される微小な電圧変動を本体からの送信信号として取込むリモートコントロール装置において、
第１表示手段および第２表示手段と、
前記第１表示手段の点滅表示および前記第２表示手段の点滅表示に際し、その点滅表示に伴う消費電流の増減を所定未満に収める制御手段と、
を備え、
前記制御手段は、前記第１表示手段の点滅表示および前記第２表示手段の点滅表示に際し、第１表示手段の点灯と消灯を周期Ｔ１で繰返し、第２表示手段は前記周期Ｔ１における第１表示手段の点灯完了後の点灯開始と周期Ｔ１における第１表示手段の消灯完了後の消灯開始とを繰返すよう、それぞれの点滅表示を制御する
ことを特徴とするリモートコントロール装置。
【請求項３】
前記制御手段は、電流を消費する電流消費手段を含み、前記第１表示手段の点滅表示および前記第２表示手段の点滅表示に際し、第１表示手段の点灯と消灯を周期Ｔ１で繰返し、第２表示手段は前記周期Ｔ１における第１表示手段の点灯完了に合わせた点灯開始と周期Ｔ１における第１表示手段の消灯完了に合わせた消灯開始とを繰返すようそれぞれの点滅表示を制御するとともに、第１表示手段の点灯・消灯時に前記電流消費手段の機能をオンすることを特徴とする請求項１記載のリモートコントロール装置。
【請求項４】
前記第１表示手段は液晶表示部、前記第２表示手段は運転状態表示用の発光ダイオードであることを特徴とする請求項１ないし請求項３のいずれか記載のリモートコントロール装置。
【請求項５】
請求項１ないし請求項４のいずれかに記載のリモートコントロール装置を複数備え、これらリモートコントロール装置は表示手段および制御部を有する電気機器において、
前記各制御部は、表示手段の点滅表示に際し、その点滅表示のタイミングを他のリモートコントロール装置における点滅表示のタイミングと異ならせることを特徴とする電気機器。
【発明の詳細な説明】
【技術分野】
【０００１】
この発明は、ワイヤード式のリモートコントロール装置に関する。
【背景技術】
【０００２】
空気調和機や給湯機などの電気機器に付属されるワイヤード式のリモートコントロール装置として、機器本体から伝送線を介して送られる直流電圧により動作しながら、その直流電圧に重畳された微小な電圧変動を機器本体からの送信信号として取込むものが知られている（例えば特許文献１）。
【先行技術文献】
【特許文献】
【０００３】
【特許文献１】特開２００９−１００４６９号公報
【発明の概要】
【発明が解決しようとする課題】
【０００４】
上記ワイヤード式のリモートコントロール装置では、液晶表示部における表示パターンの点滅表示駆動や運転状態表示用の発光ダイオードの点滅表示駆動による消費電流の増減に伴い、機器本体との間の伝送線上の直流電圧に変動が生じ、その変動が機器本体からの送信信号の取込に悪影響を及ぼすことがある。
【０００５】
この発明の目的は、伝送線上の直流電圧に不要な変動を与えることがなく、これにより機器本体からの送信信号を的確に取込むことができる信頼性にすぐれたリモートコントロール装置および電気機器を提供することである。
【課題を解決するための手段】
【０００６】
この発明の実施形態のリモートコントロール装置は、機器本体から伝送線を介して送られる直流電圧により動作しながら、その直流電圧に重畳される微小な電圧変動を機器本体からの送信信号として取込むものであって、第１および第２表示手段と、前記第１表示手段の点滅表示および前記第２表示手段の点滅表示に際し、その点滅表示に伴う消費電流の増減幅を所定未満に制限する制御手段と、を備える。そして、制御手段は、前記第１表示手段の点滅表示および前記第２表示手段の点滅表示に際し、第１表示手段の点灯と消灯を周期Ｔ１で繰返し、第２表示手段は前記周期Ｔ１における第１表示手段の点灯開始に合わせた点灯開始と周期Ｔ１における第１表示手段の消灯完了に合わせた消灯開始とを繰返すよう、それぞれの点滅表示を制御する。
【図面の簡単な説明】
【０００７】
【図１】各実施形態に関わる空気調和機の全体の構成を示す図。
【図２】各実施形態の液晶表示部および運転状態表示用の発光ダイオードを示す図。
【図３】第１ないし第３の実施形態の制御回路を示す図。
【図４】第１の実施形態の制御および直流電圧の変化を示す図。
【図５】第１の実施形態の制御がない場合の直流電圧の変化を参考として示す図。
【図６】第２の実施形態の制御および直流電圧の変化を示す図。
【図７】第３の実施形態の制御および直流電圧の変化を示す図。
【図８】第４の実施形態の制御回路を示す図。
【図９】第４の実施形態の制御および直流電圧の変化を示す図。
【図１０】第５の実施形態の制御および直流電圧の変化を示す図。
【図１１】第６の実施形態の制御および直流電圧の変化を示す図。
【発明を実施するための形態】
【０００８】
［１］以下、第１の実施形態について図面を参照して説明する。  
図１に示すように、電子機器たとえば空気調和機の本体１から一対の伝送線２が導出され、その伝送線２にワイヤード式の複数のリモートコントロール装置１０が接続される。これらリモートコントロール装置１０は、本体１から伝送線２を介して伝送される直流電圧Ｖａにより動作しながら、その直流電圧Ｖａに重畳される微小な電圧変動を本体からの送信信号として取込むとともに、伝送線２の線間を開閉することによる本体１への情報送信機能を所定の割込タイミングで実行する機能を有している。複数のリモートコントロール１０は、据付け時の作業員の操作により、いずれか１つが親機として設定され、残りが子機として設定される。
【０００９】
また、各リモートコントロール装置１０は、図２に示すように、設定運転モード・設定室内温度・設定風量などを文字や画像で表示する液晶表示部１１を第１表示手段として有するとともに、本体１の運転オン時に点灯し、運転オフ時に消灯する運転状態表示用の発光ダイオード（ＬＥＤ）１２を第２表示手段として有し、さらに、運転モード・室内温度・風量などを設定するための操作部１３を有する。液晶表示部１１には、本体１における異常の発生を文字とコードで報知する異常表示パターン１１ａも用意されている。実際の異常発生時には、図示のように、異常表示パターン１１ａが点滅するとともに、発光ダイオード１２が点滅する。
【００１０】
リモートコントロール装置１０の制御回路を図３に示す。  
伝送線２の線間に入出力回路２１が接続される。この入出力回路２１は、伝送線２に接続される端子Ｐ１，Ｐ２、後述の送受信部２２に接続される端子Ｎ１，Ｎ２、これら端子の相互間に接続されたダイオードブリッジからなり、伝送線２に対して端子Ｐ１，Ｐ２が正負いずれの状態に配線接続されても、常に端子Ｎ１が正側で端子Ｎ２が負側となる直流電圧Ｖａをその端子Ｎ１，Ｎ２から出力する。
【００１１】
この入出力回路２１の端子Ｎ１，Ｎ２に、送受信部２２を介して安定化電源回路２３が接続される。送受信部２２は、入出力回路２１から入力される直流電圧Ｖａをそのまま安定化電源回路２３に供給する手段と、入出力回路２１から入力される直流電圧Ｖａに重畳されている微小な電圧変動を抽出して後述のＭＣＵ３０に供給する手段と、ＭＣＵ３０から供給される情報を伝送線２の線間を開閉することにより本体１に送信する手段とを有する。
【００１２】
安定化電源回路２３は、入出力回路２１から供給される直流電圧を当該リモートコントロール装置１０の動作に適したレベルの安定した直流電圧Ｖｄに変換し、出力する。
【００１３】
一方、当該リモートコントロール装置１０の制御部であるＭＣＵ３０に、液晶駆動回路３１、操作部１３、室内温度センサ３２、ＮＰＮ型トランジスタ２５のベースが接続される。そして、入出力回路２１の正側端子Ｎ１に抵抗２４を介して発光ダイオード１２の正側端子が接続され、その発光ダイオード１２の負側端子が上記トランジスタ２５のコレクタ・エミッタ間を介して接地される。
【００１４】
液晶駆動回路３１は、ＭＣＵ３０から供給される情報を液晶表示部１１で表示する。室内温度センサ３２は、当該リモートコントロール装置１０が置かれている場所の室内温度を検知してＭＣＵ３０へ入力する。
【００１５】
そして、ＭＣＵ３０は、主要な機能として、次に（１）〜（５）の手段を有する。  
（１）動作開始に伴い制御用のクロック信号を生成する手段。
【００１６】
（２）送受信部２２で抽出される微小な電圧変動を本体１からの送信信号として取込む手段。
【００１７】
（３）上記取込みを監視し、情報が取込まれるとその取込み情報に基づく処理を実行するとともに、上記クロック信号のカウントに基づく所定の割込タイミングにおいて室内温度センサ３２の検知温度情報や操作部１３の操作による設定情報を送受信部２２を介して本体１に送信するメイン処理手段。
【００１８】
（４）上記取込まれた送信信号が何らかの異常を表すものである場合に、液晶表示部１１の異常表示パターン１１ａを点滅表示するとともに、発光ダイオード１２を点滅表示する表示制御手段。
【００１９】
（５）上記表示制御手段による異常表示パターン１１ａの点滅表示および発光ダイオード１２の点滅表示に際し、その点滅表示に伴う消費電流の増減を所定未満に収める制御手段。具体的には、液晶表示部１１の点滅表示および発光ダイオード１２の点滅表示に際し、液晶表示部１１の異常表示パターン１１ａが周期Ｔ１で点灯と消灯を繰返し、発光ダイオード１２は上記周期Ｔ１における異常表示パターン１１ａの点灯開始に合わせた点灯開始と周期Ｔ１における異常表示パターン１１ａの消灯完了に合わせた消灯開始とを繰返すよう、それぞれの点滅表示を制御する。
【００２０】
つぎに、図４を参照しながら、異常表示時のＭＣＵ３０の制御およびその制御に伴う直流電圧Ｖａの変化について説明する。なお、直流電圧Ｖａの変化を階段状に示しているが、実際には滑らかな変化である。
【００２１】
液晶表示部１１の異常表示パターン１１ａの点滅表示は、異常表示パターン１１ａを点灯するべく液晶駆動回路３１に対するアクセスをオンする処理と、異常表示パターン１１ａを消灯するべくその液晶駆動回路３１に対するアクセスをオンする処理との繰返しである。こうして、異常表示パターン１１ａは周期Ｔ１で点灯と消灯を繰返す。
【００２２】
発光ダイオード１２の点滅表示は、発光ダイオード１２を点灯するべくトランジスタ２５をオンする処理と、発光ダイオード１２を消灯するべくトランジスタ２５をオフする処理との繰返しである。こうして、発光ダイオード１２は、上記周期Ｔ１における異常表示パターン１１ａの点灯開始に合わせた点灯開始（点灯時の液晶駆動回路３１に対するアクセスオン）と周期Ｔ１における異常表示パターン１１ａの消灯完了（消灯時の液晶駆動回路３１に対するアクセスオフ）に合わせた消灯開始とを繰返す。この繰返しの周期Ｔ２は、周期Ｔ１と同じ周期である。
【００２３】
なお、異常表示パターン１１ａを点灯・消灯するための液晶駆動回路３１に対するアクセスのオン時は通常のメイン処理がオフされ、液晶駆動回路３１に対するアクセスのオフ時はそのメイン処理がオンされる。
【００２４】
液晶駆動回路３１に対するアクセスがオンされることによって電流が消費されるが、その消費電流は、メイン処理がオフされることによって不要となる電流分に比べて小さい。このときのアクセスオンによる消費電流とメイン処理オフによって不要となる電流分との差は、発光ダイオード１２の点灯により消費される電流とあまり変わらない。
【００２５】
したがって、異常表示パターン１１ａの点灯開始に合わせて発光ダイオード１２が点灯開始しても、そのときの消費電流の増減は所定未満に十分に収まり、伝送線２上の直流電圧Ｖａに不要な変動を与えない。
【００２６】
異常表示パターン１１ａの点灯のための液晶駆動回路３１へのアクセスオンが終了した後で発光ダイオード１２が点灯状態を維持しており、このときはメイン処理オンが加わるため消費電流が増加するが、その増加分は所定未満である。このとき、伝送線２上の直流電圧ＶａがΔＶ１減少するが、その減少分は送信信号の抽出のための閾値より小さく、送信信号の抽出に影響を与えない。
【００２７】
周期Ｔ１において異常表示パターン１１ａの消灯のための液晶駆動回路３１へのアクセスオン時、発光ダイオード１２が点灯状態を維持しているが、そこではメイン処理がオフするため、上記同様、消費電流の増減は所定未満に十分に収まる。よって、伝送線２上の直流電圧Ｖａに不要に変動を与えない。
【００２８】
続く異常表示パターン１１ａの消灯時の液晶駆動回路３１のアクセスオフに合わせて発光ダイオード１２が消灯したとき、電流の消費はメイン処理だけであり、消費電流が減少方向に変化するが、その減少分は所定未満に収まり、伝送線２における直流電圧Ｖａの上記減少分ΔＶ１が解消される。
【００２９】
以上のように、異常表示パターン１１ａの点滅表示および発光ダイオード１２の点滅表示を行っても、伝送線２上の直流電圧Ｖａに不要な変動を与えることがなく、よって本体１からの送信信号を的確に取込むことができる。
【００３０】
なお、点滅表示に伴う消費電流の増減が所定未満に収まらない例を参考として図５に示す。すなわち、発光ダイオード１２は周期Ｔ１における異常表示パターン１１ａの点灯完了に合わせた点灯開始と周期Ｔ１における異常表示パターン１１ａの消灯完了に合わせた消灯開始とを繰返している。
【００３１】
この場合、異常表示パターン１１ａの点灯時に液晶駆動回路３１に対するアクセスがオンされることによって電流が消費されるが、その消費電流は、メイン処理がオフされることによって不要となる電流分に比べて小さい。このとき発光ダイオード１２が消灯状態にあるため、消費電流が減少するが、その減少分は所定未満である。この減少に伴って伝送線２上の直流電圧ＶａがΔＶ１増加するが、その増加分ΔＶ１は送信信号の抽出のための閾値より小さく、送信信号の抽出に影響を与えない。
【００３２】
ただし、異常表示パターン１１ａの点灯完了に合わせて発光ダイオード１２が点灯すると、その点灯分にメイン処理の電流消費が加わるため、消費電流が増加方向に変化する。このときの直流電圧Ｖａの減少分はΔＶ１の２倍のΔＶ２となり、変動が大きく、その減少分ΔＶ２は送信信号の抽出のための閾値より大きい。この減少分ΔＶ２が送信信号として誤って取込まれてしまうため、送信信号の抽出に影響を与えてしまう。
【００３３】
第１の実施形態の場合、そのような不具合を生じない。
【００３４】
［２］第２の実施形態  
第２の実施形態は、ＭＣＵ３０の主要な機能のうち、（５）の手段が次のように異なる。  
（５）異常表示パターン１１ａの点滅表示および発光ダイオード１２の点滅表示に際し、その点滅表示に伴う消費電流の増減を所定未満に収める制御手段。具体的には、液晶表示部１１の点滅表示および発光ダイオード１２の点滅表示に際し、液晶表示部１１の異常表示パターン１１ａが周期Ｔ１で点灯と消灯を繰返し、発光ダイオード１２は上記周期Ｔ１における異常表示パターン１１ａの液晶駆動回路３１へのアクセスオフ中の点灯開始と消灯開始とを繰返す。
【００３５】
他の構成は第１の実施形態と同じである。よって、その説明は省略する。
【００３６】
すなわち、図６に示すように、異常表示パターン１１ａの点灯時、液晶駆動回路３１に対してアクセスオンされることによって電流が消費されるが、その消費電流は、メイン処理がオフされることによって不要となる電流分に比べて小さい。このとき発光ダイオード１２が消灯状態にあるため、消費電流が減少するが、その減少分は所定未満である。この減少に伴い伝送線２上の直流電圧ＶａにΔＶ１の増加が生じるが、その増加分ΔＶ１は送信信号の抽出のための閾値より小さく、送信信号の抽出に影響を与えない。
【００３７】
続く異常表示パターン１１ａの点灯完了時の液晶駆動回路３１へのアクセスオフ時は発光ダイオード１２が消灯状態にあるため、電流の消費はメイン処理だけとなり、消費電流が増加方向に変化して直流電圧Ｖａが減少するが、その減少分は送信信号の抽出のための閾値より小さいΔＶ１であり、送信信号の抽出に影響を与えない。
【００３８】
そして、異常表示パターン１１ａの液晶駆動回路３１へのアクセスオフ中に発光ダイオード１２が点灯すると、消費電流が増加方向に変化して直流電圧Ｖａが減少するが、その減少分は送信信号の抽出のための閾値より小さいΔＶ１であり、送信信号の抽出に影響を与えない。
【００３９】
続く異常表示パターン１１ａの消灯完了後の液晶駆動回路３１へのアクセスオフ中に発光ダイオード１２が消灯し、消費電流が減少方向に変化して直流電圧Ｖａが増加するが、その増加分は送信信号の抽出のための閾値より小さいΔＶ１であり、送信信号の抽出に影響を与えない。
【００４０】
以上、異常表示パターン１１ａの点滅表示および発光ダイオード１２の点滅表示を行っても、伝送線２上の直流電圧Ｖａに不要な変動を与えることがなく、よって本体１からの送信信号を的確に取込むことができる。
【００４１】
［３］第３の実施形態  
この第３の実施形態は、第２の実施形態の変形例であり、発光ダイオード１２の点灯と消灯の周期Ｔ２を、周期Ｔ１と同じでなく、図７に示すように単に異ならせるだけである。
【００４２】
他の構成、作用、効果は第２の実施形態と同じである。
【００４３】
［４］第４の実施形態  
図８に示すように、安定化電源回路２３の正側出力端子に電流消費用の抵抗４１の一端が接続され、その抵抗４１の他端がＮＰＮ型トランジスタ４２のコレクタ・エミッタ間を介して接地される。そして、トランジスタ４２のベースがＭＣＵ３０に接続される。これら抵抗４１およびトランジスタ４２により、電流を強制的に消費する電流消費手段が構成される。
【００４４】
この電流消費手段の採用に伴い、ＭＣＵ３０の主要な機能のうち（５）の手段が次のように異なる。  
（５）異常表示パターン１１ａの点滅表示および発光ダイオード１２の点滅表示に際し、その点滅表示に伴う消費電流の増減を所定未満に収める制御手段。具体的には、液晶表示部１１の点滅表示および発光ダイオード１２の点滅表示に際し、液晶表示部１１の異常表示パターン１１ａが周期Ｔ１で点灯と消灯を繰返し、発光ダイオード１２は上記周期Ｔ１における異常表示パターン１１ａの点灯完了に合わせた点灯開始と周期Ｔ１における異常表示パターン１１ａの消灯完了に合わせた消灯開始とを繰返すようそれぞれの点滅表示を制御するとともに、異常表示パターン１１ａの点灯・消灯開始時に上記トランジスタ４２をオンして電流消費手段の機能をオンする。
【００４５】
他の構成は第１の実施形態と同じである。よって、その説明は省略する。
【００４６】
すなわち、図９に示すように、発光ダイオード１２は、周期Ｔ１における異常表示パターン１１ａの点灯完了に合わせた点灯開始と、周期Ｔ１における異常表示パターン１１ａの消灯完了に合わせた消灯開始とを繰返す。
【００４７】
この場合、異常表示パターン１１ａの点灯時に液晶駆動回路３１に対するアクセスがオンされることによって電流が消費されるが、その消費電流は、メイン処理がオフされることによって不要となる電流分に比べて小さい。このとき発光ダイオード１２が消灯状態にあるため、消費電流が減少方向に変化するが、その減少分がなくなるよう、トランジスタ４２がオンして抵抗４１に電流が流れる。この強制的な電流消費により、伝送線２上の直流電圧Ｖａに不要な変動を与えない。
【００４８】
続く異常表示パターン１１ａの点灯完了に合わせて発光ダイオード１２が点灯すると、その点灯分にメイン処理の電流消費が加わるため、消費電流が増加方向に変化する。これに伴い、直流電圧Ｖａが減少するが、その減少分は送信信号の抽出のための閾値より小さいΔＶであり、送信信号の抽出に影響を与えない。
【００４９】
［５］第５の実施形態  
第５の実施形態は、ＭＣＵ３０の主要な機能のうち、（５）の手段が次のように異なる。  
（５）異常表示パターン１１ａの点滅表示および発光ダイオード１２の点滅表示に際し、それぞれの点滅表示のタイミングを他のリモートコントロール装置における点滅表示のタイミングと異ならせる制御手段。
【００５０】
他の構成は第１ないし第４の実施形態のいずれかと同じである。
【００５１】
図１０を参照しながら作用について説明する。なお、図１０では発光ダイオード１２の点灯と消灯のみ示し、異常表示パターン１１ａの点灯と消灯については省略している。発光ダイオード１２の点滅表示および異常表示パターン１１ａの点滅表示のタイミング制御は第１ないし第４の実施形態のいずれかと同じである。
【００５２】
本体１に接続されている複数のリモートコントロール装置１０のうち、親機として設定されるリモートコントロール装置１０では、動作開始に伴って生成されるクロック信号に基づく所定のタイミングにおいて、発光ダイオード１２の点灯と消灯を周期Ｔｘで繰返す制御が開始される。
【００５３】
残りの子機として設定されるリモートコントロール装置１０では、動作開始に伴って生成されるクロック信号に基づき、親機の上記制御開始から所定時間だけ遅れたタイミングにおいて、発光ダイオード１２の点灯と消灯を周期Ｔｙで繰返す制御が開始される。周期Ｔｙは、周期Ｔｘと同じである。
【００５４】
複数の子機がある場合は、各子機の相互間において、制御開始のタイミングが徐々にずらされる。
【００５５】
このような構成によれば、各リモートコントロール装置１０の点滅表示に伴う直流電圧Ｖａの変動が互いに重なり合って大きくなる事態を回避することができる。これにより、各リモートコントロール装置１０において、本体１からの送信信号を的確に取込むことができる。
【００５６】
［６］第６の実施形態  
この第６の実施形態は、第５の実施形態の変形例であり、図１１に示すように、子機の周期Ｔｙを親機の周期Ｔｘと異ならせている。  
他の構成、作用、効果は第５の実施形態と同じである。
【００５７】
［７］なお、上記実施形態では、電気機器として空気調和機を例に説明したが、点滅表示可能な複数の表示手段を有するものであれば、例えば給湯機など他の電気機器にも同様に実施可能である。表示手段についても、液晶表示部１１および運転状態表示用の発光ダイオード１２に限定されない。
【００５８】
その他、上記各実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００５９】
１…空気調和機本体、２…伝送線、１０…リモートコントロール装置、１１…液晶表示部、１２…運転状態表示用の発光ダイオード、１３…操作部、２１…入出力回路、２２…送受信部、２３…安定化電源回路、２５…ＮＰＮ型トランジスタ、３０…ＭＣＵ（制御部）、３１…液晶駆動回路、３２…室内温度センサ、４１…電流消費用の抵抗、４２…ＮＰＮ型トランジスタ
【図１】
0005690547.tif 000002
【図２】
0005690547.tif 000003
【図３】
0005690547.tif 000004
【図４】
0005690547.tif 000005
【図５】
0005690547.tif 000006
【図６】
0005690547.tif 000007
【図７】
0005690547.tif 000008
【図８】
0005690547.tif 000009
【図９】
0005690547.tif 000010
【図１０】
0005690547.tif 000011
【図１１】
0005690547.tif 000012